(57)【要約】      （修正有）【課題】夜間作業において走行機体の後部周りの視認性が向上するハンドガイドローラを提供する。【解決手段】ハンドガイドローラ１は、走行機体３の後部に取り付けられる操縦桿４と、操縦桿４に取り付けられ走行機体３の後部周りの路面Ｇに向けて照射可能な照明装置５とを備える。照明装置５は、操縦桿４の先端寄りに設けられた操作パネル７の底面に、照射方向が可変となるように、車幅方向の軸回りに回転調整可能に取り付けられる。【選択図】図１
2019094669.tif 000002
【特許請求の範囲】
【請求項１】
走行機体の後部に取り付けられる操縦桿と、
前記操縦桿に取り付けられ前記走行機体の後部周りの路面に向けて照射可能な照明装置と、
を備えたことを特徴とするハンドガイドローラ。
【請求項２】
前記照明装置は、前記操縦桿の先端寄りに設けられた操作パネルに取り付けられていることを特徴とする請求項１に記載のハンドガイドローラ。
【請求項３】
前記操縦桿は、鉛直状に起立するように前記走行機体に回転可能に取り付けられ、
前記照明装置は、照射方向が可変となるように回転調整可能に取り付けられていることを特徴とする請求項１または請求項２に記載のハンドガイドローラ。
【発明の詳細な説明】
【技術分野】
【０００１】
本発明は、ハンドガイドローラに関するものである。
【背景技術】
【０００２】
ハンドガイドローラは、ロールで路面を締め固める締固め機械の中では比較的小型の非搭乗型の車両であり、アスファルト舗装の転圧や路肩、狭路地等の締固め施工に使用される。ハンドガイドローラは、ロールを備えた走行機体と、走行機体の後部に取り付けられる操縦桿とを備えて構成されている（例えば特許文献１参照）。
【先行技術文献】
【特許文献】
【０００３】
【特許文献１】特開２００８−２４８５４１号公報
【発明の概要】
【発明が解決しようとする課題】
【０００４】
従来のハンドガイドローラは、走行機体の前端に設けられた前照灯を除いて照明装置は殆ど搭載されていない。そのため、夜間作業時において、オペレータの足元が暗くなるという問題や、縁石ぎりぎりにロールのエッジを寄せて転圧するような場合にエッジ周りが暗くて視認しづらいという問題がある。
【０００５】
本発明はこのような課題を解決するために創作されたものであり、夜間作業において走行機体の後部周りの視認性が向上するハンドガイドローラを提供することを目的としている。
【課題を解決するための手段】
【０００６】
前記課題を解決するため、本発明は、走行機体の後部に取り付けられる操縦桿と、前記操縦桿に取り付けられ前記走行機体の後部周りの路面に向けて照射可能な照明装置と、を備えたことを特徴とする。
【０００７】
本発明によれば、夜間作業時に、照明装置でオペレータの足元やロールのエッジを照らすことができ、作業性が向上する。視認性等の観点から照明装置の照射範囲は出来る限り広くとることが望まれる。その点で、照らしたい部位から最も離れた位置まで延びている操縦桿に照明装置を取り付けることで、オペレータに近い高い位置から前方斜め下に向けて、照射範囲を可能な限り広くとれ、良好な視認性を得ることができる。
【０００８】
また、本発明は、前記照明装置は、前記操縦桿の先端寄りに設けられた操作パネルに取り付けられていることを特徴とする。
【０００９】
本発明によれば、照明装置の取り付け構造が簡単となる。
【００１０】
また、本発明は、前記操縦桿は、鉛直状に起立するように前記走行機体に回転可能に取り付けられ、前記照明装置は、照射方向が可変となるように回転調整可能に取り付けられていることを特徴とする。
【００１１】
本発明によれば、走行機体の後部周りの照射範囲を迅速に最適化できる。操縦桿を起立可能とし、照明装置を回転調整可能とすることで、照射範囲を任意に設定でき、高い位置からの広い照射が可能となる。これにより、ハンドガイドローラでの作業以外に現場周辺を照らす作業灯としても利用でき、利便性が向上する。
【発明の効果】
【００１２】
本発明のハンドガイドローラによれば、夜間作業時に、照明装置でオペレータの足元やロールのエッジを照らすことができ、作業性が向上する。
【図面の簡単な説明】
【００１３】
【図１】本発明に係るハンドガイドローラの側面図である。
【図２】照明装置の側面図である。
【図３】図２におけるIII矢視図である。
【発明を実施するための形態】
【００１４】
図１において、本発明に係るハンドガイドローラ１は、転圧輪としての前後一対のロール２，２を備えた走行機体３と、走行機体３の後部に取り付けられた操縦桿４と、操縦桿４に取り付けられ走行機体３の後部周りの路面Ｇに向けて照射可能な照明装置５と、を備えている。
【００１５】
操縦桿４の先端部には、オペレータが把持するハンドル６及び操作パネル７が設けられている。操縦桿４は、走行機体３に車幅方向の軸回りに回動可能に取り付けられ、転圧施工等の使用時には後ろ斜め上方に延設した状態で使用され、格納時には仮想線で示すように略鉛直状に起立する。操作パネル７の上面７Ａには、例えば使用時の状態において中立位置から前方に倒すとハンドガイドローラ１が前進し、後方に倒すと後進となる前後進レバー８が設けられている。また、操作パネル７の後面７Ｂには、エンジンのスロットルレバー９が設けられている。操作パネル７は、これら前後進レバー８やスロットルレバー９の基端周り等を覆う箱形状の筺体部材としてハンドル６の前方に配置されている。
【００１６】
図１ないし図３において、照明装置５は、扁平方形状の筺体５Ａを備え、その一面に略正方形状の照射部５Ｂが形成されている。照射部５Ｂは、走行機体３の後部周りの路面Ｇを照らすように、前斜め下方に向けて配置される。照射部５Ｂの光源は例えばＬＥＤ等で構成されている。操作パネル７の底面７Ｃには、ボルト１０およびナット１１（取付手段）によりブラケット１２が取り付けられている。筺体５Ａは、このブラケット１２に、照射方向が可変となるように、車幅方向の軸Ｏ１回りに回転調整可能に取り付けられている。照明装置５のオン−オフスイッチは例えば操作パネル７に設けられる。照明装置５をボルト１０で操作パネル７に取り付ける構造とすれば、照明装置５を既存のハンドガイドローラ１にも容易に取り付けることができる。
【００１７】
本発明によれば、夜間作業時に、照明装置５でオペレータの足元や後輪側のロール２のエッジを照らすことができ、作業性が向上する。特に、視認性等の観点から照明装置５の照射範囲は出来る限り広くとることが望まれる。その点で、照らしたい部位から最も離れた位置まで延びている操縦桿４に照明装置５を取り付けることで、オペレータに近い高い位置から前方斜め下に向けて、照射範囲を可能な限り広くとれ、良好な視認性を得ることができる。
【００１８】
照明装置５を、操縦桿４の先端寄りに設けられた操作パネル７に取り付ければ、照明装置５の取り付け構造が簡単となる。また、オペレータから近い取付位置となるので、照明装置５の操作も容易である。特に照明装置５を操作パネル７の底面７Ｃに取り付ければ、オペレータにとって照明装置５が邪魔になることがなく、光が直接オペレータの目に照射されることもない。
【００１９】
照明装置５を、照射方向が可変となるように、車幅方向の軸Ｏ１回りに回転調整可能に取り付ければ、走行機体３の後部周りの照射範囲を迅速に最適化できる。操縦桿４を起立可能とし、照明装置５を回転調整可能とすることで、照射範囲を任意に設定でき、高い位置からの広い照射が可能となる。すなわち、図１に仮想線で示すように、操縦桿４を起立させた状態で、下方に向けて照射する位置Ｐ１の他、照明装置５を上方に回転させた位置Ｐ２で後方横向きに照射させることができる。これにより、ハンドガイドローラでの作業以外に現場周辺を照らす作業灯としても利用でき、利便性が向上する。
【００２０】
以上、本発明の好適な実施形態を説明した。照明装置５は、操作パネル７以外の操縦桿４の部位に取り付けてもよい。また、照明装置５をユニバーサルジョイント等を介して操縦桿４に取り付けてもよい。
【符号の説明】
【００２１】
１      ハンドガイドローラ
２      ロール
３      走行機体
４      操縦桿
５      照明装置
７      操作パネル
【図１】
2019094669.tif 000003
【図２】
2019094669.tif 000004
【図３】
2019094669.tif 000005